(57)【特許請求の範囲】
【請求項１】
駆動系からの所定方向の駆動力により回転する駆動ギアと、
該駆動ギアと嵌合して上記駆動ギアの回転力により回転するとともに、上記駆動ギアが静止している際に正・逆回転可能である、ローラに上記駆動ギアの回転力を伝達するための従動ギアとを備えたローラ駆動伝達装置において、
操作者の手指の操作により上記ローラを１回転以上正・逆回転可能にするために、上記従動ギアの回転力を上記ローラに伝達するギアであって、上記従動ギアと嵌合するとともに上記ローラの軸に固定され、上記従動ギアよりも径の小さいローラギアを備え、
上記駆動ギアと上記従動ギアとに、それぞれ、嵌合部分に１カ所ずつ突起部が設けられている
ことを特徴とするローラ駆動伝達装置。
【請求項２】
原稿を取り込んで、駆動系からの所定方向の駆動力で回転するローラによって原稿を原稿読取位置まで搬送し、原稿読取位置の原稿に光を照射し、反射光を受光して原稿の画像を読み取る画像読取装置において、
原稿読取位置のローラに駆動力を伝達するローラ駆動伝達装置が、
操作者の手指の操作により上記ローラを１回転以上正・逆回転可能にするために、
駆動系からの所定方向の駆動力により回転する駆動ギアと、
該駆動ギアと嵌合して上記駆動ギアの回転力により回転するとともに、上記駆動ギアが静止している際に正・逆回転可能である、上記ローラに上記駆動ギアの回転力を伝達するための従動ギアと、
上記従動ギアの回転力を上記ローラに伝達するギアであって、上記従動ギアと嵌合するとともに上記ローラの軸に固定され、上記従動ギアよりも径の小さいローラギアとを備え、
上記駆動ギアと上記従動ギアとに、それぞれ、嵌合部分に１カ所ずつ突起部が設けられている
ことを特徴とする画像読取装置。
【発明の詳細な説明】
【０００１】
【発明の属する技術分野】
この発明は、ローラに駆動力を伝達するローラ駆動伝達装置、およびこのローラ駆動伝達装置を適用した画像読取装置に関するものである。
【０００２】
【従来の技術】
ファクシミリ、複写機、スキャナなどの画像読取装置では、原稿搬送手段にて搬送された原稿が白色背景ローラを通過する際に、原稿に光を照射し、反射光を受光して原稿の画像を読み取る。従って、原稿の汚れが白色背景ローラに付着してしまうと、白色背景ローラの原稿読取幅よりも狭い原稿を読み取る際、原稿がない部分の白色背景ローラの汚れが記録画に黒く記録されたり、また、薄い原稿を読み取る際、白色背景ローラの汚れが原稿を透過して記録画に黒く記録されてしまうので、白色背景ローラを常に清掃する必要がある。
【０００３】
白色背景ローラの清掃を行う場合、操作者が手指などにより強制的に白色背景ローラを回転させて行うと、白色背景ローラに過大な負担がかかってしまい、ロール形状が変形し、原稿搬送精度が低下してしまう。そこで、例えば、特開平２−１０７０５１号公報に上記問題を解決する従来の原稿読取装置が提案されている。
【０００４】
この従来の原稿読取装置は、ローラ清掃を行う際、操作者が操作部のキーを操作することによって、駆動系からの駆動力により白色背景ローラを正・逆回転させるように構成したものである。
【０００５】
【発明が解決しようとする課題】
しかし、従来の原稿読取装置は、給紙ローラや搬送ローラなどの原稿を搬送するローラと共有する駆動系を用いて、白色背景ローラを正・逆回転させるように構成しているので、駆動系制御には、通常の原稿読取時の搬送処理とは別の処理ルーチンが必要となってしまい、制御系が複雑化してしまうという課題があった。
【０００６】
また、操作者が白色背景ローラを正・逆回転させる操作部のキーを押しながらローラ清掃を行わなければならず、清掃作業が面倒であるなどの課題があった。
【０００７】
この発明は、上記のような課題を解決するためになされたものであり、駆動系の制御系の簡略化を図ることができるとともに、簡単に清掃作業を行うことができるローラ駆動伝達装置および原稿読取装置を得ることを目的とする。
【０００８】
【課題を解決するための手段】
本発明に係るローラ駆動伝達装置および画像読取装置は、操作者の手指の操作によりローラを１回転以上正・逆回転可能にするために、従動ギアよりも径の小さいローラギアを備え、駆動ギアと従動ギアとにおいて、それぞれ、嵌合部分に１カ所ずつ突起部が設けられていることを特徴とする。
【００１４】
【発明の実施の形態】
以下、この発明の実施の一形態を説明する。
実施の形態１．
図１は、原稿読取装置の概略構成を示す断面図である。図１において、原稿搬送ユニット１は、原稿を１枚ずつ取り込んで原稿読取位置まで搬送し、原稿の画像読取終了後、原稿を原稿排出口から排出するものである。画像読取ユニット２は、原稿読取位置の原稿に光を照射し、反射光を受光して原稿の画像を読み取るものである。
【００１５】
原稿搬送ユニット１において、給紙ローラ３は、原稿を装置内に取り込むものである。この給紙ローラ３は、原稿の搬送路の原稿取込口に配置されており、駆動系（図示せず）からの駆動力が伝達されることにより、軸を中心に回転する。
【００１６】
分離ローラ４は、原稿を１枚ずつ装置内に取り込むように、複数枚重なった原稿を分離するものである。この分離ローラ４は、分離ローラブラケット４Ａ内でかつ給紙ローラ３の対向位置に配置されており、ギア５Ａ，５Ｂを介して搬送ローラ６の駆動力（回転力）が伝達されることにより、軸を中心に給紙ローラ３と逆方向に回転する。また、分離ローラ４は、一定以上のトルクがかかると空転するように、トルクリミッタ（図示せず）が設けられており、給紙ローラ３と圧接して給紙ローラ３のトルクがかかることにより、空転して給紙ローラ３と同方向に連れ回りする。
【００１７】
分離ローラブラケット４Ａは、一端を搬送ローラ１２の軸に回動自在に固定され、他端を装置筐体内面に押圧バネ６を介して固定されており、押圧バネ６の付勢力により分離ローラ４を給紙ローラ３に圧接させる。
【００１８】
ピックアップローラ７は、原稿置き台１９上の原稿を原稿取込口（給紙ローラ３と分離ローラ４の圧接部）まで搬送するものである。このピックアップローラ７は、原稿置き台１９上方のピックアップローラブラケット７Ａ内に配置されており、ギア８を介して給紙ローラ３の駆動力が伝達されることにより、軸を中心に給紙ローラ３と同方向に回転する。
【００１９】
ピックアップローラブラケット７Ａは、一端を給紙ローラ３の軸に回動自在に固定され、他端を装置筐体内面に保持バネ９を介して固定されており、保持バネ９の付勢力により原稿搬送待機位置に保持されているが、給紙ローラ３が回転することにより原稿置き台１９方向に回動してピックアップローラ７を原稿置き台１９上の原稿の上面に圧接させる。
【００２０】
斜行防止ローラ１０は、原稿の斜行を修正するものである。この斜行防止ローラ１０は、装置内の搬送路上に配置されており、ギア１１を介して給紙ローラ３の駆動力が伝達されることにより、軸を中心に給紙ローラ３と同方向に回転する。
【００２１】
搬送ローラ１２は、原稿を搬送するものである。この搬送ローラ１２は、装置内の搬送路上に配置されており、駆動系からの駆動力が伝達されることにより、軸を中心に回転する。ベルト１３は、原稿を搬送ローラ１２に押圧して搬送させるものであり、搬送ローラ１２と圧接している。
【００２２】
白色背景ローラ（ローラ）１３は、原稿読取面からの原稿の浮きを防止するとともに、原稿を原稿排出口まで搬送するものである。この白色背景ローラ１３は、原稿読取位置上に配置されており、駆動系からの駆動力が伝達されることにより、軸を中心に回転する。白色背景ローラ１３は、駆動ギア２０および従動ギア２１とともにローラ保持部材１４に支持されている（図２参照）。
【００２３】
排出ローラ１５は、原稿を装置外に排出するものである。この排出ローラ１５は、原稿排出口に配置されており、駆動系からの駆動力が伝達されることにより、軸を中心に回転する。
【００２４】
画像読取ユニット２において、画像読取部１６は、原稿読取位置にある原稿に光を照射し、その反射光を受光して原稿の画像を読み取るものである。この画像読取部１６は、画像読取ユニット筐体１７内に配置されており、画像読取ユニット筐体１７内を原稿の副走査方向に移動可能である。また、この画像読取部１６は、原稿に光を照射するランプ１６Ａおよび原稿からの反射光を受光して原稿の画像を読み取るＣＣＤ１６Ｂから構成されている。
【００２５】
画像読取ユニット筐体１７内面の画像読取部１６の待機位置には、原稿画像データの基準色となる白基準シート１８が張り付けてある。
【００２６】
図２は、この発明の実施の形態１によるローラ駆動伝達装置を示す構成図である。図２において、駆動ギア（ローラ駆動伝達装置）２０、従動ギア（ローラ駆動伝達装置）２１および白色ローラギア（ローラギア、ローラ駆動伝達装置）２３は、駆動系（図示せず）からの駆動力を白色背景ローラ１３に伝達するものである。この駆動ギア２０および従動ギア２１は、シャフト（心）２２を介して回転自在にローラ保持部材１４に支持されている。また、白色ローラギア２３は、白色背景ローラ１３の軸２４に固定されている。
【００２７】
図３は、駆動ギア２０の構成を示す断面図、図４は、駆動ギア２０の構成を示す平面図、図５は、駆動ギア２０の構成を示す斜視図である。図３、図４および図５に示すように、円形の駆動ギア２０は、従動ギア２１と接触する面の中央を段階状に丸くくりぬいた中空部２０Ａが形成されるとともに、中心を円柱形状にくりぬいた、シャフト２２が貫通するシャフト貫通孔２０Ｂが形成されている。駆動ギア２０の中空部２０Ａの内面には、従動ギア２１（の突起部２１Ｃ）に駆動力を伝達する突起部２０Ｃが設けられている。
【００２８】
図６は、従動ギア２１の構成を示す断面図、図７は、従動ギア２１の構成を示す平面図、図８は、従動ギア２１の構成を示す斜視図である。図６、図７および図８に示すように、円形の従動ギア２１は、駆動ギア２０の中空部２０Ａに嵌まり込む（嵌合する）円筒状の突出部２１Ａが形成されるとともに、中心を円柱形状にくりぬいた、シャフト２２が貫通するシャフト貫通孔２１Ｂが形成されている。また、従動ギア２１の突出部２１Ａの外側面には、駆動ギア２０からの駆動力が伝達される突起部２１Ｃが設けられている。
【００２９】
このように、白色背景ローラ１３に駆動力（回転力）を伝達するギアを、駆動ギア２０と従動ギア２１の２つに分割するとともに、駆動ギア２０および従動ギア２１にそれぞれ突起部２０Ｃ，２１Ｃを設けることにより、従動ギア２１の回転に遊びを持たせることができる。即ち、駆動ギア２０が静止しているときも、従動ギア２１は１回転弱（突起部２０Ｃ，２１Ｃの幅があるため）回転可能である。
【００３０】
次に動作について説明する。
（１）原稿読取装置の原稿搬送および原稿読取動作（基本動作）について説明する。
まず、操作者が、原稿を原稿置き台１９の上にセットし、原稿搬送スイッチ（図示せず）をＯＮすると、画像読取ユニット２の画像読取部１６は、待機位置にて白基準シート１８のデータを読み取って原稿の白基準値を設定する。次に、画像読取部１６は、画像読取ユニット筐体１７内を原稿の副走査方向に平行移動して原稿読取位置で停止し、原稿が搬送されるまで原稿画像データの読込み待機状態となる。
【００３１】
次に、駆動系のモータ（図示せず）が回転することにより、給紙ローラ３、搬送ローラ１２、白色背景ローラ１３および排出ローラ１５が原稿を搬送する方向に回転し始める。また、ピックアップローラ９および斜行防止ローラ１０は、それぞれ、給紙ローラ３の駆動力（回転力）がギア８およびギア１１を介して伝達されることにより、原稿を搬送する方向に回転し始める。
【００３２】
一方、分離ローラ４は、ギア５Ａ，５Ｂを介して原稿を搬送する方向と逆方向の駆動力が伝達されるが、給紙ローラ３と圧接して生じる摩擦力によって、分離ローラ４にトルクがかかり、トルクリミッタが最大値を超えることにより作用し、空転して給紙ローラ３と同方向（原稿を搬送する方向）に連れ回りする。
【００３３】
また、給紙ローラ３と分離ローラ４との間の摩擦力によって、給紙ローラ３の軸回りのモーメントが発生し、このモーメントによりピックアップローラブラケット８が時計回り（給紙ローラ３の回転方向）に回動する。ピックアップローラブラケット８が回動すると、ピックアップローラ７が回転しながら原稿置き台１９の上にセットされている原稿の上面と圧接して、原稿取込口（給紙ローラ３と分離ローラ４の圧接部）まで原稿を搬送する。
【００３４】
原稿が給紙ローラ３と分離ローラ４の圧接部に入り込むと、給紙ローラ３と分離ローラ４との間の摩擦力が、給紙ローラ３と原稿との間の摩擦力に変わり、摩擦力が小さくなるため、給紙ローラ３の軸回りのモーメントも小さくなり、ピックアップローラブラケット８は、保持バネ９により持ち上げられて待機位置に戻る。
【００３５】
また、原稿が給紙ローラ３と分離ローラ４の圧接部に入り込むと、分離ローラ４と給紙ローラ３との間の摩擦力が、分離ローラ４と原稿との間の摩擦力に変わり、分離ローラ４のトルクリミッタの最大値の摩擦力（トルク）よりも小さくなるために、給紙ローラ３との連れ回りがなくなり、原稿搬送を妨げる方向（給紙ローラ３の回転する方向と逆方向）に回転し始め、現原稿が給紙ローラ３を通過し終わるまで次原稿の給紙を妨げる。
【００３６】
この後、原稿は、斜行防止ローラ１０および搬送ローラ１２によって、原稿の斜行を防止しつつ、原稿読取位置まで搬送される。原稿は、原稿読取位置まで搬送されると、白色背景ローラ１３の押圧によって原稿読取面からの浮きが防止されつつ、画像読取ユニット２の画像読取部１６によって画像が読み取られる。
【００３７】
画像読取部１６は、原稿読取幅よりも幅の狭い原稿を読み取る場合、白色背景ローラ１３の白色を原稿のない部分として読み取る。また、画像読取部１６は、光を透過してしまうような薄い原稿の場合も、白色背景ローラ７の白色を読み取ることになる。
【００３８】
画像読取部１６による原稿の画像読取完了後、原稿は、白色背景ローラ１３によって原稿排出口まで搬送され、排出ローラ１５によって原稿排出口から排出される。
【００３９】
（２）白色背景ローラ１３の清掃動作（清掃作業）について説明する。
原稿に付着したゴミや汚れなどが白色背景ローラ１３に付着した場合、白色背景ローラ１３の原稿読取幅よりも狭い原稿を読み取る際や、薄い原稿を読み取る際、白色背景ローラ１３の汚れが記録画に黒く記録されてしまうので、操作者は、白色背景ローラ１３を清掃する。
【００４０】
操作者は、原稿搬送ユニット１を上部に持ち上げて、画像読取ユニット２から切り離す。ここで、上記したように、駆動ギア２０および従動ギア２１の嵌合部分に突起部２０Ｃ，２１Ｃが設けられている。従って、駆動ギア２０が駆動系からの駆動力により回転すると、突起部２０Ｃ，２１Ｃ同士が接触し、回転力を伝達し、従動ギア２１も回転する。
【００４１】
一方、従動ギア２１の回転に遊びを持たせているので、従動ギア２１が１回転弱、正・逆回転可能であり、白色背景ローラ１３も白色ローラギア２３を介して正・逆回転させることができる。従って、操作者は、白色背景ローラ１３を手指で正・逆回転させて、白色背景ローラ１３の清掃を行うことができる。
【００４２】
また、駆動ギア２０と従動ギア２１との嵌合部分の遊び量は、１回転弱であるが、白色ローラギア２３の歯数を従動ギア２１の歯数より少なくする、即ち、白色ローラギア２３の径を従動ギア２１の径より小さくすることにより、白色背景ローラ１３を１回転以上回転させることができる。従って、操作者は、白色背景ローラ１３に付着した汚れを簡単に除去することができるとともに、ローラ表面の汚れの拭き残しがなく、ローラ全周囲を清掃可能となる。
【００４３】
以上のように、この実施の形態１によれば、駆動ギア２０および従動ギア２１の嵌合部分に突起部２０Ｃ，２１Ｃを設け、従動ギア２１の回転に遊びを持たせたので、白色背景ローラ１３を白色ローラギア２３を介して正・逆回転させることができる。従って、操作者は、白色背景ローラ１３を手指で正・逆回転させて、白色背景ローラ１３の清掃を簡単に行うことができる。
また、駆動ギア２０および従動ギア２１によって、機構的に遊び量を発生させて白色背景ローラ１３を正・逆回転可能に構成しているので、画像読取装置の駆動系の制御系が複雑化することもない。
【００４４】
また、白色ローラギア２３の歯数を従動ギア２１の歯数よりも少なくしたので、従動ギア２１が１回転弱する間に白色ローラギア２３（白色背景ローラ１３）を１回転以上回転可能となり、白色背景ローラ１３の全周囲を清掃することができる。
【００４５】
実施の形態２．
上記実施の形態１では、白色背景ローラ１３を正・逆回転させるために、駆動系からの回転力を白色背景ローラ１３に伝達するギアを、駆動ギア２０と従動ギア２１の２つに分割し、駆動ギア２０と従動ギア２１との嵌合部分に突起部２０Ｃ，２１Ｃを設け、従動ギア２１の回転に遊びを持たせていたが、これに限るものではなく、駆動ギア２０と従動ギア２１の代わりに、一方向のみ回転可能なワンウェイクラッチを設けてもよい。
【００４６】
ワンウェイクラッチは、駆動ギア２０と従動ギア２１を一体化し、この一体化したギアのシャフト貫通孔とシャフト２２との間に設けられる。このように、ワンウェイクラッチを設けることによっても、白色背景ローラ１３を一方向（原稿を搬送する方向）に自由に回転させることができ、操作者は白色背景ローラ１３を簡単に清掃することができるとともに、全周囲にわたってローラ表面を清掃することができる。
【００４７】
【発明の効果】
以上のように、請求項１および請求項２記載の発明によれば、ローラ駆動伝達装置および画像読取装置を、操作者の手指の操作によりローラを１回転以上正・逆回転可能にするために、従動ギアよりも径の小さいローラギアを備え、駆動ギアと従動ギアとにおいて、それぞれ、嵌合部分に１カ所ずつ突起部が設けられている構成にしたので、機構的に簡単な構成で、操作者は簡単にローラの全周囲の清掃作業を行うことができるという効果を奏する。
【図面の簡単な説明】
【図１】  原稿読取装置の概略構成を示す断面図である。
【図２】  この発明の実施の形態１によるローラ駆動伝達装置を示す構成図である。
【図３】  駆動ギアの構成を示す断面図である。
【図４】  駆動ギアの構成を示す平面図である。
【図５】  駆動ギアの構成を示す斜視図である。
【図６】  従動ギアの構成を示す断面図である。
【図７】  従動ギアの構成を示す平面図である。
【図８】  従動ギアの構成を示す斜視図である。
【符号の説明】
１３  白色背景ローラ（ローラ）
２０  駆動ギア（ローラ駆動伝達装置）
２０Ｃ  突起部
２１  従動ギア（ローラ駆動伝達装置）
２１Ｃ  突起部
２３  白色ローラギア（ローラギア、ローラ駆動伝達装置）
【図１】
0003641957.tif 000002
【図２】
0003641957.tif 000003
【図３】
0003641957.tif 000004
【図４】
0003641957.tif 000005
【図５】
0003641957.tif 000006
【図６】
0003641957.tif 000007
【図７】
0003641957.tif 000008
【図８】
0003641957.tif 000009